(57)【特許請求の範囲】
【請求項１】
ボールと、上記ボールへの回転操作時に上記ボールに接して回転する磁石付きローラと、上記ローラの回転に伴う磁束変化を検出するローラ回転検出用の検出素子と、上記ローラの磁石に対し所定間隔をあけて近接配置された磁性材料を含む吸引部材とを備え、上記ボールへの非操作時には上記磁石と上記吸引部材との間に発生する吸引力で上記磁石が引き付けられて上記ローラの停止状態が維持され、上記ボールへの回転操作時には、上記磁石と上記吸引部材との間に発生する吸引力が上記ローラの回転状態に影響を与えてその影響が上記ボールを介して回転操作時のクリック感触として感じられるトラックボール装置。
【請求項２】
吸引部材が、板材からなる板状部で構成され、その板状部の先端が、ローラに固定されたＮ極とＳ極が所定角度ピッチで交互に着磁されたリング状の磁石の幅方向に対峙して配された請求項１記載のトラックボール装置。
【請求項３】
板状部の端部が側面視くの字状に曲げ形成され、そのくの字の先端が磁石の回転中心軸方向に向けて配された請求項２記載のトラックボール装置。
【発明の詳細な説明】
【技術分野】
【０００１】
本発明は、各種電子機器の入力操作部に塔載され、ボールへの所定操作によって各種入力操作が可能なトラックボール装置に関するものである。
【背景技術】
【０００２】
近年、各種入力操作用として用いられるトラックボール装置は、各種電子機器に多く搭載されるようになってきた。
【０００３】
このような従来のトラックボール装置について、以下に図面を用いて説明する。
【０００４】
図９は従来のトラックボール装置の断面図、図１０は同機構構成部と配線基板構成部との組み合わせ前の斜視図、図１１は同機構構成部の分解斜視図、図１２は同トラックボール装置の上面図、図１３は同トラックボール装置の左側面図である。
【０００５】
同図を用いて当該トラックボール装置の機構構成部から説明していく。
【０００６】
同図において、１は、略十字状に形成された樹脂製の上ケース、２は、上ケース１の下方に重ねて配置された同じく略十字状に形成された樹脂製の取付台である。
【０００７】
上ケース１の上方には、重ねて金属板からなり中央部分に孔を有するカバー３の平板部が配されている。そのカバー３は、図１０や図１１などに示すように、平板部における側端部の一方の対向位置から各々垂下する第１脚部３Ａ、またそれと直交する他方の対向位置から各々垂下する第２脚部３Ｃを有している。その第１脚部３Ａの先端部には貫通孔３Ｂが配設されている。また第２脚部３Ｃの下端は、側方に延設されたカシメ爪部３Ｄとして構成されている。
【０００８】
そして、そのカバー３における第１脚部３Ａの貫通孔３Ｂ内に、取付台２の側面部に突設された突起２Ａが嵌め込まれると共に、第２脚部３Ｃのカシメ爪部３Ｄが取付台２の側面段部に係止するようにカシメられることによって上ケース１と取付台２は結合状態となっている。
【０００９】
そして、上ケース１の略十字状をなす側方への突出部分の各々には、下方開口の鉤形に形成された鉤状部１Ａがそれぞれ一対で設けられている。その鉤状部１Ａの下方開口部分が、ローラ保持部１Ｂ（図１１参照）としてなり、ローラ保持部１Ｂの各々には、略円柱形状のローラ４が回転可能に収納保持されている。そのローラ４は、上面視で対向する二本ずつの二組が互いに直交する正方形状で四本配されている。各ローラ４の下方部分は、取付台２の上面で回転可能に支持されている。上記各ローラ４の中央部は、凹凸を有する当接部として構成されている。
【００１０】
また、各ローラ４の一端部には、図１３に示すように、所定角度ピッチ毎にＮ極とＳ極が交互に着磁された円形リング状の磁石５がそれぞれ各ローラ４と共廻りするように同軸状で固定されている。そして、その磁石５が、上ケース１および取付台２の十字における窪み部分に位置するように各ローラ４は配置されている。つまり、各ローラ４で構成される矩形の角部にそれぞれの磁石５は配されている。
【００１１】
そして、１０は、上ケース１と取付台２とで構成される内部空間内に配されているボールである。
【００１２】
ここで上ケース１と取付台２とで構成される内部空間の構成について説明する。まず、上記内部空間における底部側を構成する取付台２の十字状中央位置には円形孔２Ｂが設けられている。その円形孔２Ｂ内には、一端側が円形孔２Ｂの側壁部分に埋設固定された片持ち状の板ばね６の他端側が配されている。その板ばね６の他端側は、下方への突出部６Ａを備えた外形円形に形成され、その他端側によって上記ボール１０は下方から押し上げられている。
【００１３】
一方、上記内部空間を構成する上ケース１は、上方に突出した筒状部を有し、その筒状部の上端位置の円形に形成された上方孔部１Ｃの径は、上ケース１の上面中央位置でボール１０径よりも少し小さい径で設定されている。そして、上方に板ばね６で付勢されたボール１０は、上記上方孔部１Ｃの端部で上方への位置規制がなされ、その上部部分は、上方孔部１Ｃから外方に突出している。上記ボール１０の配置状態で、ボール１０と各ローラ４の当接部との間には、所定間隔が空く設定となっている。
【００１４】
そして、上記ボール１０は、下方向への押し下げ力が加わったときには、ボール１０下端で板ばね６を押し下げて上ケース１と取付台２によって構成される内部空間内で上下移動可能となっている。
【００１５】
当該トラックボール装置における機構構成部は、以上のように構成され、その機構構成部の下方位置には、配線基板１５が配置され、図１０や図１３に示すように、その配線基板１５の上面には磁気センサとしてのホールＩＣ２０と自力復帰型で節度付きのプッシュスイッチ２５が実装されている。当該構成部分を配線基板構成部として呼称して以下に説明する。
【００１６】
上記配線基板構成部のホールＩＣ２０は、各磁石５の配置位置に応じた上下で対向する位置のそれぞれに配置され、対応するローラ４の回転時に共廻りする各磁石５からの磁束変化に反応してオンオフ出力がなされるものである。
【００１７】
また、上記配線基板構成部のプッシュスイッチ２５は、ボール１０の下方位置に対応する配線基板１５上、つまりホールＩＣ２０で囲まれる中央部にあたる位置に配置されている。
【００１８】
このプッシュスイッチ２５は、図９に示すように、スイッチケース内に配された中央固定接点２６Ａおよび外側固定接点２６Ｂと、中央部下面が中央固定接点２６Ａに所定間隔を空けて対峙するように、その外周下端が外側固定接点２６Ｂ上に載せられた上方凸型ドーム状に構成された金属薄板製の可動接点２７とからなるスイッチ接点部を備えている。上記可動接点２７としては、中央部の反転動作時に節度感触が得られるものとなっている。
【００１９】
上記のように当該トラックボール装置は構成されている。
【００２０】
次に、当該トラックボール装置の動作について説明する。
【００２１】
まず、トラックボール装置を操作していない図９に示す通常状態から、上ケース１の上方孔部１Ｃより上方に突出したボール１０の上部を指等で触れてボール１０を左方向に回転操作すると、図１４に示すように、ボール１０が板ばね６の他端側を押し下げ若干下方位置に下がりつつ左側に移動し、上記回転操作方向に対応する同図中の左側のローラ４の当接部とのみ当接して当該左側のローラ４を回転させる。この時、その他のローラ４は回転せず、またプッシュスイッチ２５も作動されない。
【００２２】
そして、この左側のローラ４の回転に伴い、左側のローラ４に固定された磁石５も共廻りして、当該磁石５に対応するホールＩＣ２０に、当該磁石５のＮまたはＳ極が交互に接近を繰り返し、それに応じてホールＩＣ２０から所定出力が得られる。
【００２３】
同様に、ボール１０を右方向や前後方向に回転操作する場合は、上記と同様な動作をなし、所定のホールＩＣ２０から所定の出力が得られる。
【００２４】
また、斜め方向にボール１０を回転操作した場合は、ボール１０は直交関係で位置する二つのローラ４に当接して両者を回転させ、同様に、二つのホールＩＣ２０から所定の出力が得られる。
【００２５】
次に、図９に示す通常状態からボール１０の上部を指などで押し下げ操作すると、ボール１０は、板ばね６の他端側を押し下げつつ取付台２の円形孔２Ｂ方向に下がっていく。これに伴い、板ばね６の他端側に設けられた突出部６Ａ下面でプッシュスイッチ２５の中央部が下方に押圧される。
【００２６】
そして、その押し下げ力が所定の値を超えると、図１５に示すように、プッシュスイッチ２５の可動接点２７が節度感を伴いながら反転動作して、中央固定接点２６Ａと外側固定接点２６Ｂ間が可動接点２７を介して電気的に接続されたスイッチオン状態になる。
【００２７】
その後、ボール１０に加えた押し下げ力を除くと、プッシュスイッチ２５の可動接点２７が自らの弾性復元力により元の上方凸型のドーム形状に復元し、プッシュスイッチ２５の中央固定接点２６Ａと外側固定接点２６Ｂとの間は再び電気的な独立状態に戻ると共に、板ばね６の他端側も元の位置に復帰していき、板ばね６の復帰に伴ってボール１０は上方に押し戻される。ボール１０は、上ケース１の上方孔部１Ｃ端部に当接して停止し、元の図９に示す通常状態に戻るものであった。
【００２８】
なお、この出願の発明に関連する先行技術文献情報としては、例えば、特許文献１が知られている。
【特許文献１】特開２００２−３７３０５５号公報
【発明の開示】
【発明が解決しようとする課題】
【００２９】
しかしながら、上記従来のトラックボール装置は、磁石５の回転状態をホールＩＣ２０により非接触で検出する構成であったため、ボール１０への回転操作時に操作感触的に明快なものが得られず、操作性向上の観点より機器メーカー側からもボール１０への回転操作時にクリック感触が得られるものへの開発要望が高まっていた。
【００３０】
本発明は、このような従来の課題を解決するものであり、ボールへの回転操作時に発生する磁束変化を非接触で検出してローラの回転検知が行われつつ、その回転操作時にボールを介してクリック感触も得ることができる構成とされたトラックボール装置を提供することを目的とする。
【課題を解決するための手段】
【００３１】
上記目的を達成するために本発明は、以下の構成を有するものである。
【００３２】
本発明の請求項１に記載の発明は、ボールと、上記ボールへの回転操作時に上記ボールに接して回転する磁石付きローラと、上記ローラの回転に伴う磁束変化を検出するローラ回転検出用の検出素子と、上記ローラの磁石に対し所定間隔をあけて近接配置された磁性材料を含む吸引部材とを備え、上記ボールへの非操作時には上記磁石と上記吸引部材との間に発生する吸引力で上記磁石が引き付けられて上記ローラの停止状態が維持され、上記ボールへの回転操作時には、上記磁石と上記吸引部材との間に発生する吸引力が上記ローラの回転状態に影響を与えてその影響が上記ボールを介して回転操作時のクリック感触として感じられるトラックボール装置であり、ボールへの回転操作時に発生する磁束変化を非接触で検出してローラの回転検知が行われつつ、その回転操作時にボールを介してクリック感触も得られるものを実現することができるという作用を有する。
【００３３】
請求項２に記載の発明は、請求項１記載の発明において、吸引部材が、板材からなる板状部で構成され、その板状部の先端が、ローラに固定されたＮ極とＳ極が所定角度ピッチで交互に着磁されたリング状の磁石の幅方向に対峙して配されたものであり、吸引部材が簡素な構成のものであるため、回転操作時に良好なクリック感触が得られるものを安価に提供できるという作用を有する。
【００３４】
請求項３に記載の発明は、請求項２記載の発明において、板状部の端部が側面視くの字状に曲げ形成され、そのくの字の先端が磁石の回転中心軸方向に向けて配されたものであり、磁石の回転に伴う磁束変化が効率よく板状部に作用するものにでき、良好なクリック感触が得られるものにできるという作用を有する。
【発明の効果】
【００３５】
以上のように本発明によれば、ボールの回転に追従し磁石付きのローラが回転した際の磁束変化を非接触状態で検出してローラの回転検知が行われつつ、その回転操作時にボールを介してクリック感触も得られるトラックボール装置を提供できるという有利な効果が得られる。
【発明を実施するための最良の形態】
【００３６】
以下、本発明の実施の形態について、図１〜図８を用いて説明する。
【００３７】
なお、従来の技術の項で説明した構成と略同一構成の部分には同一符号を付して詳細な説明を省略する。
【００３８】
（実施の形態）
図１は、本発明の一実施の形態によるトラックボール装置の外観斜視図、図２は同上面図、図３は同左側面図、図４は同機構構成部と配線基板構成部との組み合わせ前の斜視図、図５は同分解斜視図である。
【００３９】
同図に示すように、本発明によるトラックボール装置は、上ケース１から上方に突出しているボール１０の上部が操作部分となり、その機構構成部は、上ケース１、取付台２、磁石５付きのローラ４、板ばね６、ボール１０から構成され、その構成や配置状態はほぼ従来と同じであるため詳細説明は省略する。なお、同図のものは、従来の金属製のカバーを用いず、上ケース１の外側壁に設けた係止突起３１を取付台２の側板部に形成された窓部３２内にスナップ係合して上ケース１と取付台２とが結合できる構成のものを例として図示している。
【００４０】
また、上記ボール１０は、非操作状態である通常状態では、取付台２に固定された板ばね６の他端側で上方に付勢され、正方形状に配置された四つの各ローラ４とは所定間隔が空く設定となり、かつその上方への付勢力に抗してボール１０が押し下げ操作された際に上ケース１と取付台２によって構成される内部空間内で上下移動可能となっていることも従来と同じである。
【００４１】
一方、上記機構構成部に組み合わせられる配線基板構成部は、図４などに示すように、配線基板４０およびその配線基板４０に配された四つのホールＩＣ２０とプッシュスイッチ２５から構成されている。なお、上記ホールＩＣ２０やプッシュスイッチ２５は、従来と同じもので、またそれらの配置位置としても従来と同じである。なお、図示した配線基板４０のように外形を所定形状に加工されたものとする際には、コネクタなどを介して外部回路に電気的に接続可能な構成とすればよい。また、配線基板４０をＦＰＣで構成してもよく、この場合にはテール部付きのものとして外部回路に電気的に接続可能なものに容易に構成できる。
【００４２】
そして、５０は、配線基板４０の下面から重ねて配されたＳＵＳ４３０などの磁性材料を含む板材からなる吸引部材であり、その形状としては、略正方形に形成された矩形部５１の角部近傍位置に各磁石５に対応する板状部５２が所定幅で上方に曲げ形成されている。上記各板状部５２は、それぞれに応じて配線基板４０に配された長方形孔部４１に下方から挿入されている。なお、この吸引部材５０は、取付台２の底部に突設されたカシメ用突起を配線基板４０および矩形部５１に同軸で設けた孔に挿通させ、そのカシメ用突起の下端部を矩形部５１の下面側にカシメ固定することにより結合されている。
【００４３】
そして、板状部５２は、上端中間位置で側面視くの字状に曲げ形成され、そのくの字の先端が、対応する磁石５の幅方向側の外周面に僅かな隙間をあけてその外方位置に近接配置されている。このとき、図６や図７にも示すように、板状部５２の先端が磁石５の回転中心軸線に向けられ、かつ、磁石５の外周面の幅方向における全長の殆ど全てに亘って上記先端が対峙する構成としておくと、上記磁石５からの磁束が板状部５２の先端に効率よく作用するようになる。
【００４４】
以上のように本発明のトラックボール装置は構成され、その回転操作時には、突出したボール１０上部を指等で触れてボール１０を回転操作、またはボール１０を押し下げ操作して使用される。なお、ボール１０への押し下げ操作に応じた動作は従来と同じであるため説明は省略する。
【００４５】
まず、当該トラックボール装置が操作されていない通常状態である非操作状態から説明する。
【００４６】
この非操作状態では、ボール１０は、板ばね６の他端側で押し上げられて上ケース１の上方孔部ＩＣ端部に当接して停止しており、ボール１０と各ローラ４の当接部との間、またボール１０とプッシュスイッチ２５との間には所定間隔が維持されている。
【００４７】
また、この非操作状態では、各ローラ４に設けられたそれぞれの磁石５は、図６にも示すように、一つのＮ極（またはＳ極）と板状部５２の先端との間での吸引状態となっている。すなわち、この状態では、上記磁石５のＮ極（またはＳ極）に僅かな間隔をあけ、かつその回転中心軸に向かって対峙する板状部５２の先端面などを介して上記磁石５のＮ極（またはＳ極）表面から垂直に発生する磁束が板状部５２の先端に大きく作用し上記先端がＳ極（またはＮ極）に磁化されて上記磁石５のＮ極（またはＳ極）との吸引状態となると共に、その先端の磁化に応じて、くの字の曲げ部分近傍がＮ極（またはＳ極）に磁化された状態となる。
【００４８】
そして、上記板状部５２の磁化状態に応じて発生する吸引力でローラ４は外方の板状部５２側に引き寄せられる。これにより、ローラ４は、回転可能に保持された内壁面などに強く当接した状態となって回転規制力が働いた停止状態で安定的に維持され、各ローラ４の不要な回転の防止がなされる。
【００４９】
なお、吸引部材５０の板状部５２の形状であれば、板状部５２の先端側の端部部分は、磁石５からの磁束が通りやすくて大きく磁化され、当該部分以外は上記磁石５から離れた位置でその磁束の影響を受け難い角度配置のものにもなるため、例えば板状部５２の根元部分や矩形部５１は上記磁束の影響を余り受けず、板状部５２どうしでの間の影響は殆ど発生しない。なお、板状部５２としては、上記吸引力にまけてその配置状態などが変わらないように、その材厚や幅寸法などを適宜設定し、板状部５２の固定状態が維持されるようにしておくことも重要である。
【００５０】
そして、ボール１０を回転操作すると、機構構成部が従来同様の動作をなし、ボール１０と当接した操作方向に対応するローラ４およびそれに固定された磁石５が回転する。これにより、その下方に対向して配されたホールＩＣ２０に上記磁石５のＮまたはＳ極が交互に接近を繰り返し、その磁束変化によりホールＩＣ２０から所定出力が得られ、その信号でローラ４つまりボール１０の回転方向や回転量が非接触状態で検出できる。
【００５１】
また、上記回転操作時に、磁石５のＮ極またはＳ極は板状部５２の先端にも交互に接近を繰り返して回転操作時のクリック感触が生成されることとなる。
【００５２】
その詳細を以下に説明する。
【００５３】
まず、非操作状態では、上述したように、磁石５は一つの磁極の中心角度位置が板状部５２の先端に対峙した吸引状態で安定して停止している。例えば、上記の図６に示した状態では、磁石５のＮ極に対峙した上記板状部５２の先端はＳ極に磁化され、それに対峙する磁石５のＮ極との吸引力による作用でローラ４には回転規制力が働いた状態となっている。
【００５４】
上記状態から回転操作を行ってローラ４つまり磁石５を回転させていくと、図７に示すように上記Ｎ極に隣り合うＳ極との境の位置に板状部５２の先端が対峙する状態となり、この状態では、板状部５２の先端付近の磁束方向は、板状部５２を上下方向に貫通していく方向となる。その磁束方向では、板状部５２の先端は、上面側がＳ極、下面側がＮ極に若干磁化された状態になるが、その磁化状態では磁石５との大きい吸引力は働かず、これにより、磁石５と板状部５２間での吸引状態が解除された状態、つまりローラ４に働く回転規制力が小さくローラ４が軽く回転可能な状態となる。尚、図８に板状部５２の先端付近に働く磁束密度とローラ４に働く回転規制力の関係を示す。
【００５５】
さらに続いて磁石５が回転すると、上記Ｓ極の中心角度位置が板状部５２の先端に対峙する状態となる。この状態では上記磁石５のＳ極に僅かな間隔をあけて対峙した板状部５２の先端面などを介して再び板状部５２の先端に磁束が大きく作用するようになり、板状部５２の先端がＮ極に磁化されて上記磁石５のＳ極との吸引状態となると共に、くの字の曲げ部分近傍が先端の磁化に応じてＳ極に磁化された状態となる。これにより、ローラ４は、再び回転可能に保持された内壁面などに強く当接する状態、つまり再びローラ４に回転規制力が働く状態となる。
【００５６】
さらに磁石５が回転すると、上記Ｓ極と次のＮ極の境の位置に板状部５２の先端が対峙し、上記同様に磁束方向の変化に伴いローラ４の回転規制力が小さくなり、続いて上記Ｎ極に板状部５２の先端が対峙するとローラ４の回転規制力が大きくなる。
【００５７】
上記動作の繰り返し中に発生するローラ４の回転規制力の差は、当該ローラ４に当接したボール１０を介して操作する指などに回転操作時のクリック感触として感じられるものとなる。このとき、上記板状部５２の形状や配置状態とすれば、磁石５の回転に伴う磁束変化が効率よく板状部５２の先端に作用するものにでき、良好なクリック感触が得られるものにできる。
【００５８】
以上のように、当該トラックボール装置は、ローラ４の回転検出が非接触で行えると共に、その回転検出時に発生する磁束変化を有効利用して回転操作時のクリック感触が得られるものとして実現することができる。そして、上記クリック感触を得るための構成部分としても、簡素に構成された吸引部材５０の板状部５２を磁石５に近接配置するのみというものであるため、コスト的にも安価に構成できる。なお、上記にはローラ４の回転検出をホールＩＣ２０で行うものを説明したが、その検出素子は他のものであってもよい。
【００５９】
そして、吸引部材５０も、ＳＵＳ４３０以外に、鉄・ニッケルなどの磁性材料を含むもので形成されてあってもよい。場合によっては、それらがメッキ処理されたものでもよい。さらには、磁石で構成されていてもよい。
【００６０】
そして、上述したように当該トラックボール装置の下面をほぼ全面で覆う矩形部５１を有する吸引部材５０の形状であれば、下方側への磁気遮蔽もなされたものにでき好ましい。また、磁石５毎に対応する板状部５２を上記矩形部５１に一体で設けると、板状部５２を高精度に容易に構成できると共に、各磁石５に対して一括して板状部５２を精度よく配置することも容易にできるため、組み立て性なども良好なものとなる。また、各板状部５２をそれぞれの磁石５の外方位置に配すると、若干投影面積は大きくなるものの側方への磁気遮蔽もなされて好ましい。
【００６１】
なお、板状部５２の形状としても、側面視くの字に曲げ形成されたもののみに限定されることはない。
【００６２】
また、上記には板状部５２を備えた吸引部材５０を事例として説明したが、吸引部材の形状はそれに限定されることもない。例えば、吸引部材となる磁性材料を含む部材が機構構成部の構成部材にインサート成形などで固定されて磁石に近接配置されたものなど、磁石の回転に伴って発生する磁束変化を基にローラの回転規制力の大小が発生するように配置されたものであればよい。
【産業上の利用可能性】
【００６３】
本発明によるトラックボール装置は、ボールへの回転操作時に発生する磁束変化を非接触で検出してローラの回転検知が行われつつ、その回転操作時にボールを介してクリック感触も得られるものが実現でき、各種電子機器の入力操作部を構成する際等に有用である。
【図面の簡単な説明】
【００６４】
【図１】本発明の一実施の形態によるトラックボール装置の外観斜視図
【図２】同上面図
【図３】同左側面図
【図４】同機構構成部と配線基板構成部との組み合わせ前の斜視図
【図５】同分解斜視図
【図６】同要部である板状部の先端に磁石のＮ極が近接した状態を示す部分拡大側面図
【図７】同要部である板状部の先端に磁石の隣り合うＮ極とＳ極の境が近接した状態を示す部分拡大側面図
【図８】同要部である板状部の先端に働く磁束密度とローラに働く回転規制力の関係を示す図
【図９】従来のトラックボール装置の断面図
【図１０】同機構構成部と配線基板構成部との組み合わせ前の斜視図
【図１１】同機構構成部の分解斜視図
【図１２】同トラックボール装置の上面図
【図１３】同トラックボール装置の左側面図
【図１４】同回転操作状態を示す断面図
【図１５】同押し下げ操作状態を示す断面図
【符号の説明】
【００６５】
１  上ケース
１Ｃ  上方孔部
２  取付台
４  ローラ
５  磁石
６  板ばね
１０  ボール
２０  ホールＩＣ
２５  プッシュスイッチ
３１  係止突起
３２  窓部
４０  配線基板
４１  長方形孔部
５０  吸引部材
５１  矩形部
５２  板状部
【図１】
0004525502.tif 000002
【図２】
0004525502.tif 000003
【図３】
0004525502.tif 000004
【図４】
0004525502.tif 000005
【図５】
0004525502.tif 000006
【図６】
0004525502.tif 000007
【図７】
0004525502.tif 000008
【図８】
0004525502.tif 000009
【図９】
0004525502.tif 000010
【図１０】
0004525502.tif 000011
【図１１】
0004525502.tif 000012
【図１２】
0004525502.tif 000013
【図１３】
0004525502.tif 000014
【図１４】
0004525502.tif 000015
【図１５】
0004525502.tif 000016